(57)【要約】【課題】病院内ＣＡＴＶシステム及び地上波デジタル放送のデータ放送を利用して給食メニューを入院患者に提示し、給食アンケートを容易に実施可能とする。【解決手段】ヘッドエンド装置１５にて地上波デジタル放送を受信し、病院内ＣＡＴＶ幹線２２を介して各病室のセットトップボックス２５に送信し、ビデオモニタ２７に地上波デジタル放送の映像を表示する病院内ＣＡＴＶシステムにおいて、管理センタに設けられる給食管理パソコン１４等により各患者のカテゴリを設定してカテゴリ別に複数の給食メニュー映像を作成し、ヘッドエンド装置１５における自主番組のデータ放送を利用してセットトップボックス２５へ送信する。セットトップボックス２５は患者のカテゴリ情報に基づき、該カテゴリ情報に合致した給食メニューを選択してビデオモニタ２７に表示し、患者により選択された給食メニューの選択情報を給食アンケートの回答として管理センタ１０へ送信する。【選択図】図１
2010266943.tif 000002
【特許請求の範囲】
【請求項１】
病院の管理センタに設置されたヘッドエンド装置にて地上波デジタル放送を受信し、双方向の病院内ＣＡＴＶ幹線を介して各病室に設置されているセットトップボックスに送信し、該セットトップボックスに接続されているビデオモニタに地上波デジタル放送の映像を表示する病院内ＣＡＴＶシステムであって、
前記管理センタに設けられる給食管理装置により各患者のカテゴリを設定して前記セットトップボックスに送信すると共に、患者のカテゴリ別に複数の給食メニュー映像を作成し、前記ヘッドエンド装置における自主番組のデータ放送を利用して前記セットトップボックスに送信し、
前記セットトップボックスは、前記給食管理装置から送信された対応する患者のカテゴリ情報に合致した前記給食メニュー映像を選択して前記ビデオモニタに表示し、該ビデオモニタの画面上で選択された給食メニュー映像の選択情報を給食アンケートの回答として前記給食管理装置へ送信することを特徴とする病院内ＣＡＴＶシステム。
【請求項２】
病院の管理センタに設置されたヘッドエンド装置にて地上波デジタル放送を受信し、双方向の病院内ＣＡＴＶ幹線を介して各病室に設置されているセットトップボックスに送信し、該セットトップボックスに接続されているビデオモニタに地上波デジタル放送の映像を表示する病院内ＣＡＴＶシステムであって、
前記管理センタに設けられるインフォームドコンセントサーバにより各患者に対するインフォームドコンセント用コンテンツを作成し、前記ヘッドエンド装置における自主番組のデータ放送を利用して前記セットトップボックスに送信し、
前記各セットトップボックスは、医師が携帯する特定のタグカードがセットされた際に、インフォームドコンセントモードとなり、前記ヘッドエンド装置を介して送信されているインフォームドコンセント用コンテンツの中から前記患者に対応するコンテンツをセットトップボックスのＣＰＵが選択して前記ビデオモニタに表示し、該ビデオモニタに表示される映像により前記医師によるインフォームドコンセントを可能としたことを特徴とする病院内ＣＡＴＶシステム。
【請求項３】
病院の管理センタに設置されたヘッドエンド装置にて地上波デジタル放送を受信し、双方向の病院内ＣＡＴＶ幹線を介して各病室に設置されているセットトップボックスに送信し、該セットトップボックスに接続されているビデオモニタに地上波デジタル放送の映像を表示する病院内ＣＡＴＶシステムであって、前記セットトップボックスに患者固有のＩＤを有するタグカードを挿入することでテレビ視聴の課金処理が行われることを特徴とする病院内ＣＡＴＶシステム。
【発明の詳細な説明】
【技術分野】
【０００１】
本発明は、病院に設備される地上波デジタル放送対応の病院内ＣＡＴＶシステムにより、病室に設置されているセットトップボックスやビデオモニタを利用して給食アンケートやインフォームドコンセント情報の表示等を行うことができる病院内ＣＡＴＶシステムに関する。
【背景技術】
【０００２】
入院設備を備えた病院では、入院患者に給食を提供する場合、患者の病気の種類あるいは病状等のカテゴリ別にそれぞれ複数の給食メニューを用意し、患者のカテゴリ範囲内で好みに応じて給食内容を選択できるようにしている。
【０００３】
上記のように複数の給食メニューから給食内容を選択する場合、従来では病院に設備されているアナログ方式によるＣＡＴＶシステムを利用し、給食管理センタが自主番組放送（アナログ放送）により各ベッドに対応して設けられているビデオモニタに給食メニューを表示し、各患者がビデオモニタに表示されたメニュー番号をリモコン操作によって選択することにより、例えば１週間分の給食メニューを決定するようにしている（例えば、特許文献１参照。）。
【先行技術文献】
【特許文献】
【０００４】
【特許文献１】特開２００３−２８１２８１号公報
【発明の概要】
【発明が解決しようとする課題】
【０００５】
上記従来の給食メニュー選択システムは、アナログ方式によるＣＡＴＶシステムを利用しており、給食管理センタは給食メニュー番号等の簡単なデータしか送信することしかできず、また患者側においても、ビデオモニタに表示されたメニュー番号をリモコン操作によって選択するという、簡単な選択操作しか行うことができなかった。このため給食管理センタと患者との間において十分な情報伝達を行うことができず、満足のいくメニュー選択ができないという問題があった。
【０００６】
また、病院では、担当医が各病室を回診して患者に病状や治療方法等を説明する場合がある。このような場合、各病室に設置されているビデオモニタの画面にインフォームドコンセント情報を表示して説明した方が正確で理解し易い説明が可能であるが、従来のアナログ方式によるＣＡＴＶシステムを利用した場合には、セキュリティ等の問題もあってビデオモニタにインフォームドコンセント情報を表示することができなかった。
【０００７】
本発明は上記の課題を解決するためになされたもので、デジタル化した病院内ＣＡＴＶシステムにより給食メニューの詳細なデータ及び表示を入院患者に提示でき、患者側においても満足のいくメニュー選択を行うことができる病院内ＣＡＴＶシステムを提供することを目的とする。
【０００８】
また、本発明は、担当医師が各病室を回診して患者に病状や治療方法等を説明する場合、病室に設置されているビデオモニタの画面にインフォームドコンセント情報を表示して説明でき、病室でのインフォームドコンセントを可能とする病院内ＣＡＴＶシステムを提供することを目的とする。
【０００９】
また、本発明は、テレビ視聴のために従来のようにプリペードカードを購入しなくても、テレビ視聴の課金処理が行われ、テレビ視聴ができる病院内ＣＡＴＶシステムを提供することを目的とする。
【課題を解決するための手段】
【００１０】
第１の発明は、病院の管理センタに設置されたヘッドエンド装置にて地上波デジタル放送を受信し、双方向の病院内ＣＡＴＶ幹線を介して各病室に設置されているセットトップボックスに送信し、該セットトップボックスに接続されているビデオモニタに地上デジタル放送の映像を表示する病院内ＣＡＴＶシステムであって、
前記管理センタに設けられる給食管理装置により各患者のカテゴリを設定して前記セットトップボックスに送信すると共に、患者のカテゴリ別に複数の給食メニュー映像を作成し、前記ヘッドエンド装置における自主番組のデータ放送を利用して前記セットトップボックスに送信し、
前記セットトップボックスは、前記給食管理装置から送信された対応する患者のカテゴリ情報に合致した前記給食メニュー映像を選択して前記ビデオモニタに表示し、該ビデオモニタの画面上で選択された給食メニュー映像の選択情報を給食アンケートの回答として前記給食管理装置へ送信することを特徴とする。
【００１１】
第２の発明は、病院の管理センタに設置されたヘッドエンド装置にて地上波デジタル放送を受信し、双方向の病院内ＣＡＴＶ幹線を介して各病室に設置されているセットトップボックスに送信し、該セットトップボックスに接続されているビデオモニタに地上デジタル放送の映像を表示する病院内ＣＡＴＶシステムであって、
前記管理センタに設けられるインフォームドコンセントサーバにより各患者に対するインフォームドコンセント用コンテンツを作成し、前記ヘッドエンド装置における自主番組のデータ放送を利用して前記セットトップボックスに送信し、
前記各セットトップボックスは、医師が携帯する特定のタグカードがセットされた際に、インフォームドコンセントモードとなり、前記ヘッドエンド装置を介して送信されているインフォームドコンセント用コンテンツの中から前記患者に対応するコンテンツをセットトップボックスのＣＰＵが選択して前記ビデオモニタに表示し、該ビデオモニタに表示される映像により前記医師によるインフォームドコンセントを可能としたことを特徴とする。
【００１２】
第３の発明は、病院の管理センタに設置されたヘッドエンド装置にて地上波デジタル放送を受信し、双方向の病院内ＣＡＴＶ幹線を介して各病室に設置されているセットトップボックスに送信し、該セットトップボックスに接続されているビデオモニタに地上波デジタル放送の映像を表示する病院内ＣＡＴＶシステムであって、前記セットトップボックスに患者固有のＩＤを有するタグカードを挿入することでテレビ視聴の課金処理が行われることを特徴とする。
【発明の効果】
【００１３】
本発明によれば、デジタル化した病院内ＣＡＴＶシステムと地上波デジタル放送のデータ放送を利用し、各病室に設置されているセットトップボックスにより、セットトップボックスに患者固有のＩＤを有するタグカードを挿入することで、各患者のカテゴリを考慮して給食アンケートを容易にかつ確実に実施でき、また、患者側においても十分に満足のいくメニュー選択を行うことができる。
【００１４】
また、担当医師が携帯している特定タグカードを各病室に設置されているセットトップボックスにセットすることにより、病室内でビデオモニタにインフォームドコンセント情報を表示させることが可能となり、このインフォームドコンセント情報を患者に示しながらインフォームドコンセントを容易に行うことができ、かつ高いセキュリティを保つことができる。
【００１５】
また、セットトップボックスに患者固有のＩＤを有するタグカードを挿入することで、別途テレビ視聴のために従来のようにプリペードカードを購入しなくても、テレビ視聴の課金処理が行われ、テレビ視聴ができる。
【図面の簡単な説明】
【００１６】
【図１】本発明の実施例１に係る病院内ＣＡＴＶシステムの全体の構成を示すブロック図である。
【図２】同実施例１におけるヘッドエンド装置部分の詳細な構成を示すブロック図である。
【図３】同実施例１におけるセットトップボックスの詳細な構成を示すブロック図である。
【図４】同実施例１におけるリモコンの操作ボタンの配置構成を示す外観構成図である。
【図５】同実施例１において、給食アンケートを行う場合の概略動作を示すシーケンス図である。
【図６】本発明の実施例２に係る病院内ＣＡＴＶシステムの全体の構成を示すブロック図である。
【図７】同実施例２において、セットトップボックスにタグカードをセットした場合の処理動作を示すシーケンス図である。
【発明を実施するための形態】
【００１７】
以下、本発明の実施の形態について図面を参照して詳細に説明する。
【実施例１】
【００１８】
図１は本発明の実施例１に係る病院内ＣＡＴＶシステムの全体のシステム構成図である。
【００１９】
図１において、１０は病院内に設けられる管理センタで、この管理センタ１０には、医事サーバ１１、栄養科サーバ１２、給食管理センタ１３内に設置される給食管理パソコン１４、及び詳細を後述するデジタル化されたヘッドエンド装置１５が設けられる。このヘッドエンド装置１５には、管理パソコン１７、データ放送サーバ１８及びＰＢＸ（Private Branch Exchange：構内交換機）１９が接続される。また、ヘッドエンド装置１５には、テレビアンテナ２１で受信された地上波デジタル放送信号が入力される。ヘッドエンド装置１５は、テレビアンテナ２１で受信された地上波デジタル放送信号については、パススルー方式で病院内ＣＡＴＶ幹線２２へ出力する。
【００２０】
また、上記医事サーバ１１、栄養科サーバ１２、給食管理パソコン１４、管理パソコン１７、データ放送サーバ１８等は、ＬＡＮ２０により接続される。
【００２１】
そして、上記ヘッドエンド装置１５から病院内ＣＡＴＶ幹線２２へ出力される信号は、分岐端子２３ａ、２３ｂ、…により各病室２４ａ、２４ｂ、…の各ベッドに対応して設けられている端末コンバータ即ちセットトップボックス（ＳＴＢ）２５に分岐される。
【００２２】
上記各セットトップボックス２５は、リモコン（リモートコントローラ）２６により操作可能であり、それぞれビデオモニタ２７及び電話機２８が接続されている。また、セットトップボックス２５は、タグカード挿入口２９を備えており、このタグカード挿入口２９に患者が所持するタグカード３０が挿入された際に、そのＩＤを読取るようになっている。このタグカード３０は、例えばＲＦＩＤ（Radio Frequency IDentification）のＩＣタグを用いて構成し、それぞれ固有のＩＤを持っている。上記セットトップボックス２５は、テレビの視聴、給食アンケートを行うと共に、タグカード３０が挿入されることでテレビ視聴の課金処理を行う。
【００２３】
また、リモコン２６は、テレビチャンネルの選択及び給食メニューの選択（給食アンケートの回答）を行う場合などに使用するもので、その詳細については後述する。
【００２４】
上記医事サーバ１１は、患者が入院した際に入力装置（図示せず）により入力される患者の氏名、複数桁例えば４桁の患者番号、患者のベッド番号等を記憶して管理する。
【００２５】
栄養科サーバ１２は、各患者の食事制限情報（カテゴリ情報）を設定すると共に、患者の給食アンケートの集計結果を取得して給食管理パソコン１４に出力する。上記カテゴリ情報は、患者の病気の内容により例えば「減塩食」、「蛋白制限食」、「お粥食」、「普通食」など４種類のカテゴリに分けられ、カテゴリ１〜４によって示される。
【００２６】
給食管理センタ１３に設けられた給食管理パソコン１４は、管理パソコン１７から患者番号とベッド番号情報を取得すると共に、栄養科サーバ１２から患者のカテゴリ情報を取得し、カテゴリ別の給食メニューコンテンツ（カテゴリ別の給食メニュー選択画面）を作成し、また、給食アンケートの開始・終了時刻を設定する。そして、給食管理パソコン１４は、作成したカテゴリ別の給食メニューコンテンツ及び給食アンケートの開始・終了時刻をデータ放送サーバ１８へ送出する。
【００２７】
管理パソコン１７は、医事サーバ１１から入院患者情報を取得し、ヘッドエンド装置１５に設けられている後述する制御ＣＰＵ３１を介して病室２４ａ、２４ｂ、…に設置されたセットトップボックス２５に対してテレビの視聴可・不可を指示する。また、管理パソコン１７は、給食管理パソコン１４の指示により給食アンケートの開始・終了を指示し、給食アンケートを開始する際はセットトップボックス２５に給食メニューを表示するデータ放送のコンテンツを配信し、アンケート回収時間になると、アンケートの集計結果を取得して給食管理パソコン１４へ出力する。
【００２８】
データ放送サーバ１８は、給食管理パソコン１４で作成されたカテゴリ別の給食メニューのコンテンツについて、ＢＭＬ（Broadcast Markup Language：ARIB（社団法人電波産業会）によって策定されたXMLベースの放送向けのページ記述言語）を用いて記述し、放送データとして蓄積している。そして、データ放送サーバ１８は、アンケート開始時刻になると、上記データ放送をヘッドエンド装置１５より病院内ＣＡＴＶ幹線２２を介して各病室２４ａ、２４ｂ、…の各セットトップボックス２５へ配信し、アンケート終了時刻になると配信を終了する。
【００２９】
図２は上記ヘッドエンド装置１５の詳細な構成を示すブロック図である。ヘッドエンド装置１５は、制御ＣＰＵ３１、データ放送送出装置３２、自主放送センター機３３及びＯＦＤＭ変調器３４により構成され、無料放送、有料放送、アンケート映像を放送する。
【００３０】
上記制御ＣＰＵ３１には、管理パソコン１７及びＰＢＸ１９が接続される。また、制御ＣＰＵ３１は、混合／分配器３６を介して病院内ＣＡＴＶ幹線２２に接続され、各病室２４ａ、２４ｂ、…に設けられているセットトップボックス２５に対する制御及び情報の吸い上げを行う。
【００３１】
データ放送送出装置３２は、データ放送サーバ１８に格納されているデータ放送のコンテンツ、この場合には給食アンケートに関するＢＭＬ言語で記述されたデータ放送のコンテンツをデータ放送信号に変換して自主放送センター機３３へ送出する。
【００３２】
自主放送センター機３３は、MPEG2エンコーダ３３１、MPEG2多重化装置３３２、再多重化装置３３３からなり、病院が独自に製作した自主番組放送３５がMPEG2エンコーダ３３１に入力され、上記データ放送送出装置３２から出力されるデータ放送がMPEG2多重化装置３３２に入力される。自主放送センター機３３は、MPEG2エンコーダ３３１でコード化された任意の自主番組放送とデータ放送送出装置３２から出力されるデータ放送（給食アンケート用のメニュー映像）をMPEG2多重化装置３３２で多重化し、更に再多重化装置３３３で多重化処理してＯＦＤＭ変調器３４へ出力する。ＯＦＤＭ変調器３４は、自主放送センター機３３から出力される自主番組放送の信号をデジタル変調し、混合／分配器３６を介して病院内ＣＡＴＶ幹線２２へ出力する。
【００３３】
また、テレビアンテナ２１で受信された地上波デジタルの放送信号は、入力フィルタ、アンプ、混合／分配器３６を介して病院内ＣＡＴＶ幹線２２へ送られる。すなわち、ヘッドエンド装置１５において、制御ＣＰＵ３１の出力信号、ＯＦＤＭ変調器３４でデジタル変調された自主番組の放送及びテレビアンテナ２１で受信された地上波デジタル放送は、混合／分配器３６で混合されて病院内ＣＡＴＶ幹線２２へ出力される。この結果、テレビアンテナ２１で受信された地上波デジタル放送は、ヘッドエンド装置１５からパススルー方式により病院内ＣＡＴＶ幹線２２へ出力され、各病室２４ａ、２４ｂ、…内に設けられているセットトップボックス２５へ配信される。また、各セットトップボックス２５から病院内ＣＡＴＶ幹線２２を介して送られてくる制御情報やアンケート結果等の情報は、混合／分配器３６から制御ＣＰＵ３１に入力される。
【００３４】
図３はセットトップボックス２５の詳細な構成を示すブロック図である。セットトップボックス２５には、デジタルテレビ部４０及び制御部５０が設けられる。デジタルテレビ部４０は、ＲＦフロントエンド４１、復調器４２、デコード部４３、Ｂ-ＣＡＳカード４４、制御ソフトウェアを記憶しているＲＯＭ４５、データを一時記憶する作業用のＲＡＭ４６を備えている。上記デコード部４３は、ディスクランブラ４３１、デコーダ４３２及びＣＰＵ４３３により構成され、ＣＰＵ４３３によりディスクランブラ４３１及びデコーダ４３２の動作が制御される。上記ディスクランブラ４３１にはＢ-ＣＡＳカード４４が接続され、ＣＰＵ４３３にはＲＯＭ４５及びＲＡＭ４６が接続される。上記Ｂ-ＣＡＳカード４４は、Ｂ−ＣＡＳ（BS Conditional Access Systems）方式によるデジタル放送を受信するためのカードであり、セットトップボックス２５に挿入して使用される。ディスクランブラ４３１は、スクランブルされたデジタル放送信号のスクランブルを解除する。
【００３５】
一方、制御部５０には、ＲＦモデム５１、ＣＰＵ５２、ＲＦＩＤ用リーダ５３、リモコン受光部５４が設けられる。上記ＣＰＵ５２は、ＲＦモデム５１を介して病院内ＣＡＴＶ幹線２２に接続される。ＲＦＩＤ用リーダ５３は、セットトップボックス２５のタグカード挿入口２９の部分に設けられ、タグカード挿入口２９にタグカード３０が挿入された際、ＣＰＵ５２の制御に従って例えばＭＨｚ帯あるいはＧＨｚ帯の周波数による問い合わせ信号を送信し、タグカード３０のＩＤを読み出してＣＰＵ５２へ出力する。上記タグカード挿入口２９は、ＲＦＩＤ用リーダ５３から送信された電波が外部に漏れないように遮蔽されている。また、リモコン受光部５４は、付属するリモコン２６から送出される光信号を受光し、電気信号に変換してＣＰＵ５２へ出力する。また、ＣＰＵ５２は、デジタルテレビ部４０のＣＰＵ４３３に接続されており、該ＣＰＵ４３３を介してデジタルテレビ部４０のＲＡＭ４６へアクセスできるようになっている。
【００３６】
上記ＣＰＵ５２は、リモコン２６により受信チャンネルの選択が行われた場合、そのチャンネル選択信号をデジタルテレビ部４０のＣＰＵ４３３を介してＲＡＭ４６に記憶させる。ＣＰＵ４３３は上記チャンネル選択に基づいてチャンネル指定データをＲＦフロントエンド４１に送り、ＲＦフロントエンド４１の受信チャンネルを当該チャンネルに設定し、受信したテレビ放送信号を後段ブロックにより復調、デコードしてビデオモニタ２７に送り当該テレビ放送の映像を表示させる。
【００３７】
また、ＣＰＵ５２は、アンケート時にリモコン２６により給食アンケートが選択された場合には、ＣＰＵ４３３と通信を行いＲＡＭ４６に保持された選択情報をアンケート回収し、ＣＰＵ５２はＣＰＵ４３３と通信を行い保持された情報を吸い上げてヘッドエンド装置１５の制御ＣＰＵ３１へ送出する。
【００３８】
上記リモコン２６は、図４に示すように各種操作ボタンを備えている。リモコン２６には、例えば電源ボタン６１、テレビチャンネルやメニュー番号等を指定する数字キー６２、テレビ画面上に表示されるカーソルを上下左右の方向に移動させて各種表示項目を選択するカーソルボタン６３、このカーソルボタン６３によって選択された項目を決定する決定ボタン６４、自主番組放送を選択する案内ボタン６５、自主番組放送におけるデータ放送を選択するデータ放送ボタン６６等が設けられる。更にリモコン２６には、給食アンケートを実施するためのリクエストボタンとして、例えば給食メニューをビデオモニタ２７の画面に表示させるメニューボタン６７、上記数字キー６２やカーソルボタン６３により選択した給食メニューを確定するための確認ボタン６８、選択したメニューを取消す取消ボタン６９等が設けられる。
【００３９】
次に前記実施例１における全体の処理動作を説明する。
【００４０】
患者が入院する際、病院側では、医事サーバ１１の入力装置（図示せず）により患者の氏名、４桁の患者番号、患者のベッド番号等を入力し、入院患者に対してＲＦＩＤを利用したタグカード３０を発行する。このタグカード３０は、患者固有のＩＤを有し、ビデオモニタ２７によるテレビの視聴及び電話機２８の使用を可能とする。
【００４１】
入院患者は、指定された病室に入り、割り当てられたベッドのセットトップボックス２５のタグカード挿入口２９に自分のタグカード３０を挿入する。セットトップボックス２５は、タグカード３０が挿入されると、ＣＰＵ５２がタグカード３０からＲＦＩＤ用リーダ５３を介してタグのＩＤを読取り、当該タグのＩＤと当該セットトップボックスに予め設定されているベッド番号をＲＦモデム５１及び病院内ＣＡＴＶ幹線２２を介してヘッドエンド装置１５の制御ＣＰＵ３１へ送出する。制御ＣＰＵ３１は、セットトップボックス２５から送られてきたタグのＩＤ及びベッド番号を制御ＣＰＵ３１内のメモリに記録する。
【００４２】
管理パソコン１７は、制御ＣＰＵ３１から送られてくるタグのＩＤ及びベッド番号と、医事サーバ１１から取得した入院患者情報との対応を確認して入院データとして登録する。また、管理パソコン１７は、医事サーバ１１から取得した入院患者情報に基づき、上記制御ＣＰＵ３１を介して病室２４ａ、２４ｂ、…のセットトップボックス２５に対し、ビデオモニタ２７によるテレビの視聴可、電話機２８の使用可を指示する。
【００４３】
一方、栄養科サーバ１２には、患者の病気に対応させた「減塩食」、「蛋白制限食」、「お粥食」、「普通食」など４種類のカテゴリ情報を設定すると共に、給食メニュー情報、食材情報等を蓄える。
【００４４】
給食管理センタ１３に設けられた給食管理パソコン１４は、栄養科サーバ１２から患者のカテゴリ情報を取得してカテゴリ別の給食メニューコンテンツを複数作成すると共に、給食アンケートの開始・終了時刻を設定し、データ放送サーバ１８へ送出する。データ放送サーバ１８は、給食アンケートの開始時刻になると、カテゴリ別の給食メニューコンテンツをデータ放送送出装置３２を介して自主放送センター機３３へ送り自主放送信号に重畳させる。
【００４５】
給食アンケートを行う場合の概略の動作について図５に示す。
【実施例２】
【００４６】
本発明の実施例２について説明する。
【００４７】
図６は本発明の実施例２に係る病院内ＣＡＴＶシステムの全体のシステム構成図である。この実施例２に係る病院内ＣＡＴＶシステムは、図１の実施例１に示した病院内ＣＡＴＶシステムにおいて、管理センタ１０内にインフォームドコンセントサーバ９１を付加したものである。このインフォームドコンセントサーバ９１は、患者の担当医師が病室内でインフォームドコンセント（医師が患者に診療の目的、内容を充分に説明して、患者の納得を得て治療すること）を行う際のコンテンツを作成するためのサーバであり、ＬＡＮ２０に接続される。上記インフォームドコンセントサーバ９１で作成されたコンテンツは、ＬＡＮ２０及び管理パソコン１７を介してデータ放送サーバ１８へ送られる。また、病院の医師には、インフォームドコンセント用の特定タグカード（図示せず）を発行する。この特定タグカードは、前記の患者が所持するタグカード３０と同様にＲＦＩＤのＩＣタグを用いて構成し、固有のＩＤを持っている。上記特定タグカードのＩＤは、インフォームドコンセントサーバ９１に予め登録する。その他の構成は、図１に示した実施例１と同様の構成であるので、同一符号を付して詳細な説明は省略する。
【００４８】
入院患者の担当医師は、上記特定タグカードを各ベッドに対応して設けられているセットトップボックス２５のタグカード挿入口２９に挿入することにより、インフォームドコンセントのデータ放送を視聴して入院患者に対してインフォームドコンセントを行うことが可能である。
【００４９】
上記特定タグカードあるいは前記実施例１で説明した患者が所持するタグカード３０がセットトップボックス２５のタグカード挿入口２９に挿入すると、図８のシーケンス図に示す処理が行われる。
【００５０】
以下、入院患者に対して担当医師が病室にてインフォームドコンセントを行う場合の処理動作について説明する。
【００５１】
管理パソコン１７は、例えばＣＳＶ（Comma Separated Value）形式にて患者情報ファイルを作成し、データ放送サーバ１８へＦＴＰ（File Transfer Protocol：TCP/IPの上位層で働くファイル転送プロトコル）にて送信する。データ放送サーバ１８は、患者情報ファイル（ＣＳＶ形式）から固定のフォーマットにてＢＭＬ言語で記述したインフォームドコンセントを行うためのコンテンツ（インフォームドコンセント情報）を作成し、ヘッドエンド装置１５及び病院内ＣＡＴＶ幹線２２を介してセットトップボックス２５へ配信する。この場合、データ放送サーバ１８は、インフォームドコンセント用コンテンツのリンク先をセットトップボックス番号に指定してデータ放送を配信する。
【００５２】
そして、患者の担当医師は、病室にて患者にインフォームドコンセントを行う場合、セットトップボックス２５のタグカード挿入口２９に特定タグカードをセットし、セットトップボックス２５の動作をインフォームドコンセントモードとし、リモコン２６により自主放送を選局し（リモコンの「案内」ボタを押圧）、更にリモコン２６のデータ放送ボタン６６を押圧して、インフォームドコンセント表示画面を表示させる。
【００５３】
次に、特定タグカードをセットトップボックス２５のタグカード挿入口２９から取り出し、該タグカード挿入口２９に患者のタグカード３０をセットする。これにより、当該セットトップボックス２５に、当該患者のインフォームドコンセント情報を取り込むことが可能になる。リモコン２６のボタンを押圧して、ビデオモニタ２７の画面上の前記インフォームドコンセント表示画面から所望のインフォームドコンセント項目を選択し、当該インフォームドコンセント情報を画面上に表示させる。担当医師は、ビデオモニタ２７に表示されたインフォームドコンセント情報を患者に示しながらインフォームドコンセントを行う。
【００５４】
リモコン２６により自主（案内）放送から通常の放送に視聴を切替えるか、セットトップボックス２５の電源を断とすると、インフォームドコンセントモードは解除される。
【００５５】
上記実施例２によれば、患者の担当医師は、病室内で各ベッドに対応して設けられているビデオモニタ２７にインフォームドコンセント情報を表示させ、このインフォームドコンセント情報を患者に示しながらインフォームドコンセントを容易に行うことができる。上記インフォームドコンセント情報は、医師が携帯している特定タグカードをセットトップボックス２５にセットした場合のみビデオモニタ２７に表示させることができるので、患者や他の人が勝手にインフォームドコンセント情報を見ることは不可能であり、高いセキュリティを保つことができる。
【００５６】
なお、本発明は、上記実施の形態そのままに限定されるものではなく、実施段階ではその要旨を逸脱しない範囲で構成要素を変形して具体化できるものである。
【符号の説明】
【００５７】
１０…管理センタ、１１…医事サーバ、１２…栄養科サーバ、１３…給食管理センタ、１４…給食管理パソコン、１５…ヘッドエンド装置、１７…管理パソコン、１８…データ放送サーバ、１９…ＰＢＸ、２０…ＬＡＮ、２１…テレビアンテナ、２２…病院内ＣＡＴＶ幹線、２３ａ、２３ｂ…分岐端子、２４ａ、２４ｂ…病室、２５…セットトップボックス、２６…リモコン、２７…ビデオモニタ、２８…電話機、２９…タグカード挿入口、３０…タグカード、３１…制御ＣＰＵ、３２…データ放送送出装置、３３…自主放送センター機、３４…ＯＦＤＭ変調器、３５…自主番組放送、３６…分配器、４０…デジタルテレビ部、４１…ＲＦフロントエンド、４２…復調器、４３…デコード部、４４…Ｂ-ＣＡＳカード、４５…ＲＯＭ、４６…ＲＡＭ、５０…制御部、５１…ＲＦモデム、５２…ＣＰＵ、５３…ＲＦＩＤ用リーダ、５４…リモコン受光部、６１…電源ボタン、６２…数字キー、６３…カーソルボタン、６４…決定ボタン、６５…案内ボタン、６６…データ放送ボタン、６７…メニューボタン、６８…確認ボタン、６９…取消ボタン、９１…インフォームドコンセントサーバ、９２…ＲＦＩＤ用リーダ、３３１…MPEG2エンコーダ、３３２…MPEG2多重化装置、３３３…再多重化装置、４３１…ディスクランブラ、４３２…デコーダ、４３３…ＣＰＵ。
【図１】
2010266943.tif 000003
【図２】
2010266943.tif 000004
【図３】
2010266943.tif 000005
【図４】
2010266943.tif 000006
【図５】
2010266943.tif 000007
【図６】
2010266943.tif 000008
【図７】
2010266943.tif 000009